(57)【要約】簡便に混合液を得るようにする。  第１空間（１１）を保ちながら第１溶液（１２）を収納する混合液容器本体（２）に、第２空間（１６）を残して第２溶液（１７）を収納する液収納袋部材（１５）を吊り下げ、中栓部材（３）の袋巻取部（１８）によって液収納袋部材（１５）の袋先端部（１５Ａ）を巻き取ることによって液収納袋部材（１５）を破って第２溶液（１７）を第１溶液（１２）上に落して混合液（２２）を得るようにしたことにより、ユーザが手を汚すことなく、簡便に混合液を得るようにできる。
2013018233.tif 000002
【特許請求の範囲】
【請求項１】
液取出口と連通する第１の空間を保ちながら第１溶液を収納する混合液容器本体と、
上記混合液容器本体の上記液取出口に嵌め込まれ、上記第１の空間に、第２の空間を残して第２溶液を収納する液収納袋部材を吊り下げる中栓部材と、
上記中栓部材が嵌め込まれた状態の上記混合液容器本体の上記液取出口に回転できるように装着されたキャップ部材と
を有し、上記中栓部材は、上記キャップ部材が上記中栓部材に対して回転されたとき、上記液収納袋部材の袋先端部を巻き取ることにより上記液収納袋部材を破って上記第２溶液を上記第１溶液上に落し、これにより上記第１溶液と上記第２溶液との混合液を得る袋巻取部
を具えることを特徴とする混合液容器。
【請求項２】
上記袋巻取部は、中心位置に中心透孔を穿設された仕切板部の上記中心透孔より外側位置に固着部材が配設され、上記中心透孔を通って上記仕切板部の下側から導入された上記液収納袋部材の袋先端部を上記固着部材に固着すると共に、上記キャップ部材に下方に突設された複数の巻取突子が上記固着部材及び上記中心透孔間において上記袋先端部に当接しながら上記キャップ部材の回転に伴って回転することにより、上記複数の巻取突子の周囲に上記袋先端部を巻き取る
ことを特徴とする請求項１に記載の混合液容器。
【請求項３】
上記キャップ部材は、上記混合液容器本体に上記混合液が入っている状態において、上記袋先端部を上記袋巻取部に巻き取った状態の上記中栓部材と一体に上記混合液容器本体から取りはずされることにより、使い捨て部材として廃棄される
ことを特徴とする請求項１に記載の混合液容器。
【発明の詳細な説明】
【技術分野】
【０００１】
本発明は混合液容器に関し、例えば２剤染毛方式の染毛剤によって頭髪を染毛する場合に適用し得るものである。
【背景技術】
【０００２】
２剤染毛方式の染毛剤は、１剤を酸化染料とアルカリ剤、界面活性剤、酸化安定剤とから構成すると共に、２剤として酸、酸化剤、増粘剤などを配合し、１剤の酸化染料と２剤の酸化剤とを長時間混合しておくと酸化重合により大きな色素分子ができて毛髪に色素が入らなくなるため、２剤形式にして染毛処理時にその混合液を得て、これにより毛髪を脱色すると同時に染料を毛髪内に浸透させることにより酸化重合を生じさせて発色させるようにした２剤の混合液容器が、従来から提案されている（特許文献１参照）。
【先行技術文献】
【特許文献】
【０００３】
【特許文献１】特開２００５−９７３１０公報
【発明の概要】
【０００４】
ところで、この種の２剤の混合液容器は、これを用いて、家庭内で、一般ユーザが自分の毛髪を染毛することを考えると、できるだけ簡便な操作で、安全に、使い捨てできる構成のものであることが望ましい。
本発明は以上の点を考慮してなされたもので、簡便な構成の混合液容器を提案しようとするものである。
かかる課題を解決するため本発明においては、液取出口と連通する第１の空間を保ちながら第１溶液を収納する混合液容器本体の液取出口に中栓部材を嵌め込み、当該中栓部材によって第１の空間に、第２の空間を残して第２溶液を収納する液収納袋部材を吊り下げると共に、中栓部材が嵌め込まれた状態の混合液容器本体の液取出口に回転できるようにキャップ部材を装着し、キャップ部材が中栓部材に対して回転されたとき、液収納袋部材の袋先端部を袋巻取部によって巻き取ることにより液収納袋部材を破って第２溶液を第１溶液上に落し、これにより第１溶液と第２溶液との混合液を得るようにする。
本発明によれば、第１の空間を保ちながら第１溶液を収納する混合液容器本体に、第２の空間を残して第２溶液を収納する液収納袋部材を吊り下げ、中栓部材の袋巻取部によって液収納袋部材の袋先端部を巻き取ることによって液収納袋部材を破って第２溶液を第１溶液上に落して混合液を得るようにしたことにより、ユーザが手を汚すことなく、簡便に混合液を得るようにできる。
【図面の簡単な説明】
【０００５】
図１は、本発明による一実施の形態の混合液容器を示す断面図である。
図２は、図１の混合液容器１の各部の構成を示す分解断面図である。
図３は、中栓部材の詳細構成を示す略線的平面図である。
図４は、キャップ部材の詳細構成を示す略線的平面図である。
図５は、袋巻取部１８の巻き取り動作の説明に供する略線的平面図である。
図６は、混合液容器１における第２溶液の放出動作の説明に供する断面図である。
図７は、混合液容器１における第１及び第２溶液の撹拌混合動作の説明に供する断面図である。
図８は、キャップ部材４の回転量検知動作及びロック動作の説明に供する平面的略線図である。
図９は、キャップ部材４の回転量検知動作の説明に供する略線図である。
図１０は、キャップ部材４のロック動作の説明に供する略線図である。
図１１は、混合液容器のロック解除動作の説明に供する略線図である。
図１２は、混合液容器本体２から使い捨て部材４０を取りはずす動作の説明に供する分解断面図である。
【発明を実施するための形態】
【０００６】
以下図面について、本発明を２剤染毛方式の染毛液に対する混合液容器に適用した場合の一実施の形態を詳述する。
（１）混合液容器の構成
図１及び図２において、１は、全体として混合液容器を示し、合成樹脂材料でなり、かつ底面を閉塞されてなる円筒状の混合液容器本体２の液取出口２Ａに中栓部材３を嵌め込むと共に、液取出口２Ａに対して上方から蓋をするように、キャップ部材４がねじ込まれている。
混合液容器本体２の内部の下半部には、図２（Ｃ）に示すように、上半部に第１空間１１を保持した状態で、１剤（染料と、アルカリ剤、界面活性剤、酸化安定剤とから構成される）でなる第１溶液１２が入れられている。
液取出口２Ａに嵌め込まれた中栓部材３は、図２（Ｂ）に示すように、合成樹脂材料によって成型された円筒部３Ａ内に、これを横切るように、中心透孔３Ｂを有する仕切板部３Ｃが設けられている。
円筒部３Ａは、液取出口２Ａの内周面２Ｂに周接するように嵌め込まれ、上部外周縁から外方に突出するように設けられた支持鍔部３Ｄが液取出口２Ａの上端面２Ｃに当接した状態で、中栓部材３が液取出口２Ａ内に一体に嵌め込まれている。
この実施の形態の場合、円筒部３Ａの下端縁部には、中心線Ｌ０に対して９０［°］間隔位置において、下方から４本の割り溝３Ａ１が設けられ、これが液取出口２Ａの内周面２Ｂに設けられた係止突起２Ｂ１に嵌め込まれることにより、中栓部材３が、液取出口２Ａ内において、中心線Ｌ０を中心として回転しないように、一体に係止されている。
中心透孔３Ｂには、液収納袋部材１５の袋先端部１５Ａが下側から挿通され、当該袋先端部１５Ａが、仕切板部３Ｃの板面に沿って、外縁位置にある固着部材３Ｅまで引き込まれて固着保持されている。
液収納袋部材１５はポリエチエンシート又はポリプロピレンシートを袋状に加工したシート素材１５Ｂによって、その上半部に第２空間１６を残すように、下半部に「２剤」（酸、酸化剤、増粘剤などが配合されている）を構成する第２溶液１７が入れられている。
この実施の形態の場合、シート素材１５Ｂは、第２溶液１７を撹拌棒２１と一緒に収納する下半部分の直径が大きくかつ底面ないし側面が丸味をもつような形状に選定されると共に、第２空間１６を保持する部分は円錐形状を呈するように上方に行くに従って先細形状に絞られた状態で密閉されている。
袋先端部１５Ａを構成するシート素材１５Ｂは１つの束に束ねられ、当該束が中栓部材３の中心透孔３Ｂを通って仕切板部３Ｃの上面に沿うように固着部材３Ｅに引き込まれ、その先端部が固着部材３Ｅに固着される。
この結果、液収納袋部材１５は中栓部材３の中心透孔３Ｂから混合液容器本体２の第１空間１１に吊り下げられる。
この実施の形態の場合、固着部材３Ｅは、図３に示すように、仕切板部３Ｃ上において、中心透孔３Ｂから外方に離れた外側位置に立設された３本の固着突子３Ｅ１を突出させた構成を有し、この３本の固着突子３Ｅ１にシート素材１５Ｂをからませることにより、液収納袋部材１５の袋先端部１５Ａを固着させる。
中栓部材３の仕切板部３Ｃには、中心透孔３Ｂを中心として、固着部材３Ｅとの間の位置を通るように、円環状の案内溝３Ｆが穿設され、図４に示すように、当該案内溝３Ｆによってキャップ部材４の４本の巻取突子４Ａ（９０［°］の角等間隔位置に突設されている）が案内されながら中心透孔３Ｂを中心として矢印ａの方向に回転動作したとき、図５に示すように、巻取突子４Ａが案内溝３Ｆを横切るように引き込まれている液収納袋部材１５の袋先端部１５Ａに横方向から当接することにより、シート素材１５Ｂを巻取突子４Ａの周りに巻き取ることができるようになされている。
かくして、中栓部材３の仕切板部３Ｃと、キャップ部材４の天板部４Ｂとの間には、液収納袋部材１５のシート素材１５Ｂを、袋先端部１５Ａを固着部材３Ｅに固着した状態で、キャップ部材４の回転に応動して、液取出口２Ａの第１空間１１から巻き取る、袋巻取部１８が形成される。
キャップ部材４は合成樹脂材料で成型され、図２（Ａ）に示すように、円形の天板部４Ｂの周縁部に下方に延長する円筒板部４Ｃが設けられ、当該円筒板部４Ｃの内面に形成されたねじ部４Ｄを混合液容器本体２の液取出口２Ａ（図２（Ｃ））の外周面に設けられているねじ部２Ｄに螺合しながら中心線Ｌ０を中心にして回転できるようになされている。
キャップ部材４の天板部４Ｂの中心線Ｌ０上の位置には、円筒板部４Ｃと対向するように下方向に延長する軸部４Ｅが突設されている（図２（Ａ））。
軸部４Ｅの下端には、中栓部材３の中心透孔３Ｂに相当する直径を有する中心抑え部４Ｆが設けられていると共に、この中心抑え部４Ｆの上方位置に同様に中心透孔３Ｂに相当する大きさの補助子４Ｇが設けられている。
かくして、混合液容器本体２の液取出口２Ａに中栓部材３及びキャップ部材４が組み立てられた状態において、キャップ部材４の中心抑え部４Ｆが中栓部材３の中心透孔３Ｂを抑えることにより、液収納袋部材１５を混合液容器本体２の第１空間１１に安定に保持し、これにより混合液容器本体２内において、第１溶液１２の上方位置に、これとは混合しない状態に、液収納袋部材１５内に第２溶液１７を保持した使用準備状態（図１の状態）を維持する。
キャップ部材４の、中栓部材３の支持鍔部３Ｄと対向する位置には、円環状の柔かいパッキン１９が設けられ、これによりキャップ部材４が、使用準備状態に液取出口２Ａにねじ込まれた使用準備状態から、さらに袋巻取部１８が袋先端部１５Ａを巻取る動作をした後、キャップ部材４が液取出口２Ａからねじ戻されて取りはずされるまでの操作時に、中栓部材３とキャップ部材４の天板部４Ｂとの間の液が入っていても、これをキャップ部材４内にシールするようになされている。
（２）液混合処理
以上の構成において、染毛操作をするユーザは、図１の使用準備状態にある混合液容器１の混合液容器本体２を手で支えながらキャップ部材４を中心線Ｌ０を中心としてねじ込み方向ａの方向に回転させる。
このとき、キャップ部材４はねじ部４Ｄが液取出口２Ａのねじ部２Ｄに螺合してねじ込まれて行くことにより液取出口２Ａの周囲において、下端面４Ｈが液取出口２Ａの基台部２Ｅに近づいて行くと共に、キャップ部材４の軸部４Ｅに設けられている中心抑え部４Ｆが中栓部材３の中心透孔３Ｂを通って仕切板部３Ｃの下方に突出して行く。
これと共に、中栓部材３とキャップ部材４の天板部４Ｂとの間に設けられた袋巻取部１８（図５）が、中栓部材３の中心透孔３Ｂを介して液収納袋部材１５のシート素材１５Ｂを引き込んで行く。
このとき、キャップ部材４が矢印ａの方向に回転するに従って袋巻取部１８は仕切板部３Ｃ上にあるシート素材１５Ｂを巻取突子４Ａの周囲に巻き取って行く。
シート素材１５Ｂの巻取りが進むと、液収納袋部材１５の第２空間１６が小さくなって行くことにより、第２溶液１７が収納されている部分が中栓部材３の中心透孔３Ｂに近づいて行き、やがて、撹拌棒２１の突起部分が液収納袋部材１５に当って孔をあけることにより、図６に示すように、底部分１５Ｃが破れて収納されていた第２溶液１７及び撹拌棒２１を、混合液容器本体２に蓄えられている第１溶液１２上に落とす。
この実施の形態の場合、撹拌棒２の周囲には断面が鋭角な刃状部が形成され、これによりシート素材１５Ｂが袋巻取部１８に巻き込まれて行くとき、孔をあけ易くなるようになされている。
混合液容器本体２の内部には、図７に示すように、液取出口２Ａにキャップ部材４が螺合した状態において、撹拌棒２１と一緒に、第１溶液１２と第２溶液１７との混合液２２が残った状態になる。
撹拌棒２１は、ユーザが混合液容器本体２を全体として揺動操作することにより混合液２２を構成する第１及び第２溶液１２及び１７を撹拌することにより、２液を適切な状態になるまで混合処理できる。
（３）キャップ部材の回転量検知・ロック動作
図４〜図７について上述した液混合処理は、混合液容器本体２の中栓部材３が設けられた液取出口２Ａのねじ部２Ｄに、キャップ部材４のねじ部４Ｄを、液取出口２Ａに対して予め設定した回転量、例えば１．５回転分だけねじ込み操作をするだけで混合動作を実現できる。
この実施の形態の場合、当該キャップ部材４の回転量の検知及び混合動作の終了のタイミングは、ユーザがキャップ部材４のクリック動作を手に感じることにより実現できる。
キャップ部材４の回転量検知動作は、図８に示すように、キャップ部材４の円筒板部４Ｃの内面における所定の角度位置に縦方向に設けられた図９に示すようなキャップ側検出隆起３０Ａと、液取出口２Ａの外表面における基準高さ位置ＬＶに設けられた液取出口側検出隆起３０Ｂとでなる回転量検出部３０により行われる。
キャップ側検出隆起３０Ａは、キャップ部材４のねじ部４Ｄを液取出口２Ａのねじ部２Ｄにねじ込むことにより、キャップ部材４の中心抑え部４Ｆが中栓部材３の中心透孔３Ｂを抑える状態になったとき（図１の状態になったとき）、図９（Ａ）に示すように、キャップ部材４の回転方向ｂ及び回転に伴ってキャップ部材４が混合液容器本体２の基台部２Ｅに近づいて行く締込方向ｃの方向に移動して、下端部３０Ａ１が液取出口側検出隆起３０Ｂに当接する状態になる。
このとき、キャップ部材４をねじ込む操作をしたいユーザは、キャップ側検出隆起３０Ａが液取出口側検出隆起３０Ｂに干渉して回転が停止した時の抵抗感によって、キャップ部材４が正規の組立状態にあることを確認できる。
この状態の混合液容器１から第１溶液１２及び第２溶液１７の混合液２２を液取出口２Ａから取り出そうとする場合、ユーザは、混合液容器本体２を手で支持した状態において、キャップ部材４を、キャップ部材４のキャップ側検出隆起３０Ａの下端部３０Ａ１が液取出口側検出隆起３０Ｂに当接した状態において手に受ける抵抗感に克つような強い力でキャップ部材４を回転させる。
このときキャップ側検出隆起３０Ａは液取出口側検出隆起３０Ｂを乗り越えて回転方向ｂの方向に回転する。
このようにして、キャップ側検出隆起３０Ａが基準高さ位置ＬＶにある液取出口側検出隆起３０Ｂを乗り越えて回転方向ｂの方向に移動すると、ユーザはそれまで感じていた抵抗感がなくなるので、キャップ部材４を引き続き回転させることにより、袋巻取部１８により液収納袋部材１５のシート素材１５Ｂを巻き取らせることができる。
この巻取操作の間においては、キャップ部材４のねじ部４Ｄが液取出口２Ａのねじ部２Ｄにねじ込まれて行くことにより、キャップ側検出隆起３０Ａが締込方向ｃの方向に下方に移動しながら回転方向ｂの方向に回転して行く。
やがてキャップ部材４が１回転すると、キャップ側検出隆起３０Ａは図９（Ｂ）に示すように、その上端部３０Ａ２が液取出口側検出隆起３０Ｂに当接する位置にまで回転して来る。
このときキャップ部材４を回転させているユーザは、キャップ側検出隆起３０Ａが液取出口側検出隆起３０Ｂに当接したことにより、回転方向ｂの方向への回転操作について手に抵抗感を感じる状態になる。
かくしてユーザは、当該抵抗感を手に感じたとき、キャップ部材４を１回転だけ回転させたことによってこれに対応する分量のシート素材１５Ｂを袋巻取部１８に巻き取ったことを、手の操作感の変化（すなわちクリック感）によって感じ取ることができる。
この実施の形態の場合、キャップ部材４を１．５回分だけ回転してこれに相当する袋先端部１５Ａを巻き取ることにより、図６について上述したように、シート素材１５Ｂの底部分１５Ｃを破ることによって当該液収納袋部材１５に収納されていた第２溶液１７及び撹拌棒２１を混合液容器本体２に収納されている第１溶液１２と混合させることができる。
従ってユーザは、図９（Ｂ）の状態において再度強い力でキャップ部材４を回転させることにより、キャップ側検出隆起３０Ａを液取出口側検出隆起３０Ｂを乗り越えて回転方向ｂの方向にさらに０．５回転分だけ回転させるような操作をする。
やがて、ユーザがキャップ部材４を１．５回転させることにより図６の状態になったとき、混合液容器１は図８のロック部３５によってキャップ部材４の回転動作をロックする。
ロック部３５は、キャップ部材４の下端面４Ｈに図１０（Ａ）に示すようなロック用係合溝３５Ａを穿設すると共に、当該下端面４Ｈと対向する液取出口２Ａの基台部２Ｅの上面にロック用係合突起３５Ｂを突設するように構成されている。
かくして、ユーザによってキャップ部材４が液取出口２Ａにねじ込まれて行くとき、１．５回転近くになると、ロック用係合溝３５Ａは、ロック用係合突起３５Ｂと対向した状態で下降方向ｅの方向に下降しながら回転方向ｄの方向に回転して行く。
この実施の形態の場合、ロック用係合溝３５Ａは、下降方向ｅに沿った垂直面３５Ａ１と、当該垂直面３５Ａ１の一番深い位置から下端面４Ｈにまで浅くなって行く傾斜面３５Ａ２とで構成されている。
かくしてロック用係合溝３５Ａがロック用係合突起３５Ｂの直近まで来ると、図１０（Ｂ）に示すように、ロック用係合溝３５Ａの傾斜面３５Ａ２の先端がロック用係合突起３５Ｂの表面に触れるような状態にまで近接した後、下降方向ｅの方向に下降しながら回転方向ｄの方向に移動することにより、図１０（Ｃ）に示すように、ロック用係合溝３５Ａがロック用係合突起３５Ｂに係合する状態になる。
このときロック用係合溝３５Ａの垂直面３５Ａ１がロック用係合突起３５Ｂに当接することにより、キャップ部材４の回転方向ｄへの回転が止められる。かくしてキャップ部材４を回転させていたユーザはロック用係合溝３５Ａがロック用係合突起３５Ｂに止められることにより、その抵抗感からキャップ部材４の回転量が、限界値、すなわち１．５回転になったことを感じ取ることができる。
このことは、混合液容器本体２内に第１溶液１２と第２溶液１７との混合操作が済んで混合液２２が得られた状態（図７）になったことを意味する。
（４）ロック解除による使い捨て部材の取りはずし
このようにキャップ部材４を１．５回分だけねじ込み回転方向に回転させることにより混合液容器本体２に混合液２２を得た状態になると、ユーザは、次に、キャップ部材４を液取出口２Ａから逆回転させてロック解除操作をする。
このときロック用係合溝３５Ａは、図１１（Ａ）に示すように、キャップ部材４が逆回転方向ｆの方向に回転すると同時に、液取出口２Ａから上昇方向ｇの方向に上昇して行く。
従ってロック用係合溝３５Ａは垂直面３５Ａ１がロック用係合突起３５Ｂから離れると共に、傾斜面３５Ａ２がロック用係合突起３５Ｂの表面を滑りながら移動することにより、ロック用係合溝３５Ａによるロック用係合突起３５Ｂへのロックが解除される。
その後引き続きユーザがキャップ部材４を逆回転方向ｆの方向に回転させれば、図１１（Ｂ）に示すように、キャップ部材４は液取出口２Ａから上方にはずされて行く。
このようにしてキャップ部材４が上昇方向に移動されて液取出口２Ａからはずされて行くとき、図１２に示すように、天板部４Ｂから下方に突出している中心抑え部４Ｆ及び補助子４Ｇのうち、上側にある補助子４Ｇが中栓部材３の中心透孔３Ｂの下側縁部に当接することにより、中栓部材３がキャップ部材４と一体となって液取出口２Ａの内周面２Ｂに沿って上方に引き抜かれて行く。
キャップ部材４が逆回転操作により、液取出口２Ａから上方に引き抜かれると、図１２に示すように、当該キャップ部材４及び中栓部材３と、その間の袋巻取部１８によって巻き取られたシート素材１５Ｂとが使い捨て部材４０として混合液容器本体２から取りはずされる。
この結果使い捨て部材４０が取りはずされた混合液容器本体２は、第１溶液１２及び第２溶液１７の混合液２２を内部に収納しながら液取出口２Ａの蓋が取りはずされた状態になり、これが混合液用具４１としてユーザの手元に残る。
この混合液用具４１の液取出口２Ａには、別途蓋としてのキャップ、又は当該蓋としてのキャップに混合液吐出ポンプを設けた混合液取出治具がねじ込まれることにより、その後混合液用具４１はユーザによって混合液２２を使用した染毛操作に用いられる。
（５）液混合処理の動作及び効果
以上の構成において、一般の毛染需要者であるユーザは、第１溶液１２を入れた混合液容器本体２の内部の第１空間１１に、液収納袋部材１５の袋先端部１５Ａを中栓部材３の中心透孔３Ｂを通して仕切板部３Ｃに設けられた固着部材３Ｅに固着し、これにより第２溶液１７を収納した液収納袋部材１５を吊り下げた状態の中栓部材３を、混合液容器本体２の液取出口２Ａの内周面２Ｂに挿入した状態に組み立てられた（製造者によって）図１及び図２に示すような混合液容器１を取得する。
この組み立て状態は、図９（Ａ）に示すように、キャップ側検出隆起３０Ａの下端部３０Ａ１が液取出口側検出隆起３０Ｂに当接した状態により生ずる抵抗感によってユーザが知ることができる。
当該ユーザは、混合液容器１の混合液容器本体２を手で抑えてキャップ部材４をねじ込む操作をする。
このときキャップ側検出隆起３０Ａ（図９）は液取出口側検出隆起３０Ｂに当接した状態にあるが、ユーザが、当該キャップ側検出隆起３０Ａが液取出口側検出隆起３０Ｂを乗り越えるような強さでねじ込み操作した後、その後通常の力でねじ込み操作することにより、キャップ部材４が液取出口２Ａにねじ込まれて行く。
当該ねじ込み操作をしている間に、袋巻取部１８（図５）は、中栓部材３の仕切板部３Ｃとキャップ部材４の天板部４Ｂとの間に液収納袋部材１５のシート素材１５Ｂを巻き取って行く（図３〜図５）。
当該シート素材１５Ｂの巻取処理が終了すると、液収納袋部材１５の底部分１５Ｃが撹拌棒２１によって破られて（図６）、液収納袋部材１５内に収納されていた第２溶液１７が混合液容器本体２内の第１溶液１２と混合した混合液２２として、撹拌棒２１と一緒に、混合液容器本体２内に残る（図６、図７）。
このような巻取操作の間において、ユーザは、キャップ部材４のキャップ側検出隆起３０Ａが１回転したときその上端部３０Ａ２が液取出口側検出隆起３０Ｂに当接した状態において強い力で回転させることにより、１回転したことを感知した後（図９（Ｂ））、さらに１．５回転したときキャップ部材４側に設けられているロック用係合溝３５Ａが混合液容器本体２の基台部２Ｅに設けられているロック用係合突起３５Ｂに係止されることにより、それ以上の回転操作ができない状態で、２液の混合処理動作を終了する（図１０（Ａ）〜（Ｃ））。
かくしてユーザは、混合液容器本体２内の混合液２２と一緒に撹拌棒２１が存在すると共に、液収納袋部材１５のうち第２溶液１７を収納していたシート素材１５Ｂだけが中栓部材３とキャップ部材４の天板部４Ｂ間に設けられた袋巻取部１８に巻き込まれた状態を得ることができることにより、撹拌棒２１を使って混合液２２を構成する第１溶液１２と第２溶液１７とを、混合液容器本体２に、キャップ部材４を被せた状態で適性に撹拌混合させることができる。
その後混合液２２を染毛剤として染毛処理をするとき、ユーザはキャップ部材４を逆回転させることにより液取出口２Ａからキャップ部材４を取りはずす（図１１〜図１２）。
このときキャップ部材４のロック用係合溝３５Ａはロック用係合突起３５Ｂとのロックを解除して（図１１（Ａ）〜（Ｂ））逆回転方向に回転しながら液取出口２Ａからはずれる（図１２）。
この状態のキャップ部材４はその内部に一体に中栓部材３が付着した状態で液取出口２Ａから離れるので、ユーザは、これを使い捨て部材４０として使い捨てすると共に、内部に混合液２２を保持している混合液容器本体２内を混合液用具４１として用いて染毛操作をすることができる。
以上の構成によれば、染毛操作をするユーザは、図１のように組立てられた混合液容器１について、混合液容器本体２を手に取ってキャップ部材４をねじ込み操作するだけで液収納袋部材１５を破って内部の第２溶液１７を第１溶液１２に混合させる。
その間において、第２溶液１７を放出したシート素材１５Ｂはキャップ部材４の回転に応じてキャップ部材４と中栓部材３との間に巻き取られる。
この状態において、キャップ部材４を液取出口２Ａから逆回転させて取りはずせば、混合液２２が入った混合液容器本体２から２液混合された染毛液を取り出して容易に染毛処理することができる。
かくするにつき、ユーザは１液及び２液を直接手に触れることなく、単にキャップ部材４のねじ込み、ないし、ねじはずし操作をするだけで、簡便に混合液としての染毛液を得ることができる。
（６）他の実施の形態
（６−１）上述の実施の形態の混合液容器１においては、キャップ部材４のねじ部４Ｄと、混合液容器本体２の液取出口２Ａのねじ部２Ｄとが螺合した状態でキャップ部材４を液取出口２Ａの上端部にねじ込んだ後、下端面４Ｈが混合液容器本体２の基台部２Ｅに当接するまでねじ込むことにより、液取出口２Ａの上端から基台部２Ｅまで全体についてねじ込み又はねじ戻し動作ができるように構成されている。
かかる構成に対して、この他の実施の形態においては、ねじ部４Ｄとねじ部２Ｄとの螺合範囲を、キャップ部材４の中心抑え部４Ｆが図１に示すように仕切板部３Ｃの中心透孔３Ｂを塞ぐ位置から、図６及び図７に示すように、中心抑え部４Ｆ、補助子４Ｇが仕切板部３Ｃの中心透孔３Ｂの下側に当接する位置まで、キャップ部材４がねじ込み又はねじ戻し動作できる範囲に設けられている。
かくしてユーザは、キャップ部材４の中心抑え部４Ｆが仕切板部３Ｃの中心透孔３Ｂを抑えた状態の混合液容器１について、キャップ部材４を回転することにより液収納袋部材１５のシート素材１５Ｂを袋巻取部１８に巻取開始させる。
この他の実施の形態においては、その後、キャップ部材４のねじ部４Ｄが液取出口２Ａのねじ部２Ｄを通り過ぎるまでねじ込まれると、キャップ部材４のねじ部４Ｄは、液取出口２Ａのねじ部２Ｄの下側位置において螺合をはずれた状態になる。
このとき、キャップ部材４の締め込み方向（混合液容器本体２の基台部２Ｅに近づく方向）への回転が空回りしてキャップ部材４は当該近づく動作をしない状態になる。
この空回り状態においても、キャップ部材４の袋巻取部１８による液収納袋部材１５のシート素材１５Ｂに対する巻取動作を続けることができるので、液収納袋部材１５は、図６〜図７について上述したと同様に、底部分１５Ｂを破って第２溶液１７と撹拌棒２１とを第１溶液１２中に落とすことにより、混合液２２を得る状態になし得る。
この実施の形態の場合、この状態からキャップ部材４を液取出口２Ａからはずす際には、ユーザが逆回転方向にキャップ部材４を回転させながらキャップ部材４の部分的なねじ部４Ｄを、液取出口２Ａの部分的なねじ部２Ｄに、下側から螺合させることにより、図１２について上述したと同様にして、使い捨て部材４０を混合液容器本体２からはずして、混合液用具４１を得る。
このような他の実施の形態のように構成しても、上述の場合と同様の効果を得ることができる。
（６−２）図１〜図１２の実施の形態においては、液収納袋部材１５の袋先端部１５Ａを固着部材３Ｅに固着させる構成として、３本の棒状の固着突子３Ｅ１を設けるようにしたが、これに代え、その他の固着手段、たとえば接着や鋲打ちなどを用いて固着突子３Ｅ１ないし他の代用部材に固着させるようにしても良い。
（６−３）上述の実施の形態においては、２剤染毛方式の染毛剤として混合液を得る場合に適用した場合について述べたが、用途としてはこれに限らず、２種類の液剤を混合して混合液を得る場合に広く適用することができる。
（６−４）上述の実施の形態においては、キャップ部材４を１．５回転させたとき、シート素材１５Ｂを破って、第１及び第２溶液１２及び１７を混合させるようにしたが、キャップ部材４の回転量はこれに限らず、例えば０．５回転、１回転、２回転など種々設定するようにしても良い。
（６−５）上述の実施の形態においては、シート素材１５Ｂとしてポリエチレンシート又はポリプロピレンシートを用いた場合について述べたが、その他のプラスチックフィルムを用いるようにしても良い。
【産業上の利用可能性】
【０００７】
本発明は２種類の溶液を混合して混合液を得る場合に利用できる。
【符号の説明】
【０００８】
１……混合液容器、２……混合液容器本体、２Ａ……液取出口、２Ｂ……内周面、２Ｂ１……係止突起、２Ｃ……上端面、２Ｄ……ねじ部、２Ｅ……基台部、３……中栓部材、３Ａ……円筒部、３Ａ１……割り溝、３Ｂ……中心透孔、３Ｃ……仕切板部、３Ｄ……支持鍔部、３Ｅ……固着部材、３Ｅ１……固着突子、４……キャップ部材、４Ａ……巻取突子、４Ｂ……天板部、４Ｃ……円筒板部、４Ｄ……ねじ部、４Ｅ……軸部、４Ｆ……中心抑え部、４Ｇ……補助子、４Ｈ……下端面、１１……第１空間、１２……第１溶液、１５……液収納袋部材、１５Ａ……袋先端部、１５Ｂ……シート素材、１５Ｃ……底部分、１６……第２空間、１７……第２溶液、２１……撹拌棒、２２……混合液、３０……回転量検出部、３０Ａ……キャップ側検出隆起、３０Ａ１……下端部、３０Ａ２……上端部、３０Ｂ……液取出口側検出隆起、３５……ロック部、３５Ａ……ロック用係合溝、３５Ａ１……垂直面、３５Ａ２……傾斜面、３５Ｂ……ロック用係合突起、４０……使い捨て部材、４１……混合液用具
【図１】
2013018233.tif 000003
【図２】
2013018233.tif 000004
【図３】
2013018233.tif 000005
【図４】
2013018233.tif 000006
【図５】
2013018233.tif 000007
【図６】
2013018233.tif 000008
【図７】
2013018233.tif 000009
【図８】
2013018233.tif 000010
【図９】
2013018233.tif 000011
【図１０】
2013018233.tif 000012
【図１１】
2013018233.tif 000013
【図１２】
2013018233.tif 000014
【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
液取出口と連通する第１の空間を保ちながら第１溶液を収納する混合液容器本体と、
上記混合液容器本体の上記液取出口に嵌め込まれ、上記第１の空間に、第２の空間を残して第２溶液を収納する液収納袋部材を吊り下げる中栓部材と、
上記中栓部材が嵌め込まれた状態の上記混合液容器本体の上記液取出口に回転できるように装着されたキャップ部材と
を有し、上記中栓部材は、上記キャップ部材が上記中栓部材に対して回転されたとき、上記液収納袋部材の袋先端部を巻き取ることにより上記液収納袋部材を破って上記第２溶液を上記第１溶液上に落し、これにより上記第１溶液と上記第２溶液との混合液を得る袋巻取部
を具えることを特徴とする混合液容器。
【請求項２】
上記袋巻取部は、中心位置に中心透孔を穿設された仕切板部の上記中心透孔より外側位置に固着部材が配設され、上記中心透孔を通って上記仕切板部の下側から導入された上記液収納袋部材の袋先端部を上記固着部材に固着すると共に、上記キャップ部材に下方に突設された複数の巻取突子が上記固着部材及び上記中心透孔間において上記袋先端部に当接しながら上記キャップ部材の回転に伴って回転することにより、上記複数の巻取突子の周囲に上記袋先端部を巻き取る
ことを特徴とする請求項１に記載の混合液容器。
【請求項３】
上記キャップ部材は、上記混合液容器本体に上記混合液が入っている状態において、上記袋先端部を上記袋巻取部に巻き取った状態の上記中栓部材と一体に上記混合液容器本体から取りはずされることにより、使い捨て部材として廃棄される
ことを特徴とする請求項１に記載の混合液容器。
【手続補正２】
【補正対象書類名】明細書
【補正対象項目名】全文
【補正方法】変更
【補正の内容】
【発明の詳細な説明】
【技術分野】
【０００１】
本発明は混合液容器に関し、例えば２剤染毛方式の染毛剤によって頭髪を染毛する場合に適用し得るものである。
【背景技術】
【０００２】
２剤染毛方式の染毛剤は、１剤を酸化染料とアルカリ剤、界面活性剤、酸化安定剤とから構成すると共に、２剤として酸、酸化剤、増粘剤などを配合し、１剤の酸化染料と２剤の酸化剤とを長時間混合しておくと酸化重合により大きな色素分子ができて毛髪に色素が入らなくなるため、２剤形式にして染毛処理時にその混合液を得て、これにより毛髪を脱色すると同時に染料を毛髪内に浸透させることにより酸化重合を生じさせて発色させるようにした２剤の混合液容器が、従来から提案されている（特許文献１参照）。
【先行技術文献】
【特許文献】
【０００３】
【特許文献１】特開２００５−９７３１０公報
【発明の概要】
【０００４】
ところで、この種の２剤の混合液容器は、これを用いて、家庭内で、一般ユーザが自分の毛髪を染毛することを考えると、できるだけ簡便な操作で、安全に、使い捨てできる構成のものであることが望ましい。
【０００５】
本発明は以上の点を考慮してなされたもので、簡便な構成の混合液容器を提案しようとするものである。
【０００６】
かかる課題を解決するため本発明においては、液取出口と連通する第１の空間を保ちながら第１溶液を収納する混合液容器本体の液取出口に中栓部材を嵌め込み、当該中栓部材によって第１の空間に、第２の空間を残して第２溶液を収納する液収納袋部材を吊り下げると共に、中栓部材が嵌め込まれた状態の混合液容器本体の液取出口に回転できるようにキャップ部材を装着し、キャップ部材が中栓部材に対して回転されたとき、液収納袋部材の袋先端部を袋巻取部によって巻き取ることにより液収納袋部材を破って第２溶液を第１溶液上に落し、これにより第１溶液と第２溶液との混合液を得るようにする。
【０００７】
本発明によれば、第１の空間を保ちながら第１溶液を収納する混合液容器本体に、第２の空間を残して第２溶液を収納する液収納袋部材を吊り下げ、中栓部材の袋巻取部によって液収納袋部材の袋先端部を巻き取ることによって液収納袋部材を破って第２溶液を第１溶液上に落して混合液を得るようにしたことにより、ユーザが手を汚すことなく、簡便に混合液を得るようにできる。
【図面の簡単な説明】
【０００８】
【図１】図１は、本発明による一実施の形態の混合液容器を示す断面図である。
【図２】図２は、図１の混合液容器１の各部の構成を示す分解断面図である。
【図３】図３は、中栓部材の詳細構成を示す略線的平面図である。
【図４】図４は、キャップ部材の詳細構成を示す略線的平面図である。
【図５】図５は、袋巻取部１８の巻き取り動作の説明に供する略線的平面図である。
【図６】図６は、混合液容器１における第２溶液の放出動作の説明に供する断面図である。
【図７】図７は、混合液容器１における第１及び第２溶液の撹拌混合動作の説明に供する断面図である。
【図８】図８は、キャップ部材４の回転量検知動作及びロック動作の説明に供する平面的略線図である。
【図９】図９は、キャップ部材4の回転量検知動作の説明に供する略線図である。
【図１０】図１０は、キャップ部材４のロック動作の説明に供する略線図である。
【図１１】図１１は、混合液容器のロック解除動作の説明に供する略線図である。
【図１２】図１２は、混合液容器本体２から使い捨て部材４０を取りはずす動作の説明に供する分解断面図である。
【発明を実施するための形態】
【０００９】
以下図面について、本発明を２剤染毛方式の染毛液に対する混合液容器に適用した場合の一実施の形態を詳述する。
【００１０】
（１）混合液容器の構成
図1及び図２において、１は、全体として混合液容器を示し、合成樹脂材料でなり、かつ底面を閉塞されてなる円筒状の混合液容器本体２の液取出口２Ａに中栓部材３を嵌め込むと共に、液取出口２Ａに対して上方から蓋をするように、キャップ部材４がねじ込まれている。
【００１１】
混合液容器本体２の内部の下半部には、図２（Ｃ）に示すように、上半部に第１空間１１を保持した状態で、１剤（染料と、アルカリ剤、界面活性剤、酸化安定剤とから構成される）でなる第１溶液１２が入れられている。
【００１２】
液取出口２Ａに嵌め込まれた中栓部材３は、図２（Ｂ）に示すように、合成樹脂材料によって成型された円筒部３Ａ内に、これを横切るように、中心透孔３Ｂを有する仕切板部３Ｃが設けられている。
【００１３】
円筒部３Ａは、液取出口２Ａの内周面２Ｂに周接するように嵌め込まれ、上部外周縁から外方に突出するように設けられた支持鍔部３Ｄが液取出口２Ａの上端面２Ｃに当接した状態で、中栓部材３が液取出口２Ａ内に一体に嵌め込まれている。
【００１４】
この実施の形態の場合、円筒部３Ａの下端縁部には、中心線Ｌ０に対して９０［°］間隔位置において、下方から４本の割り溝３Ａ１が設けられ、これが液取出口２Ａの内周面２Ｂに設けられた係止突起２Ｂ１に嵌め込まれることにより、中栓部材３が、液取出口２Ａ内において、中心線Ｌ０を中心として回転しないように、一体に係止されている。
【００１５】
中心透孔３Ｂには、液収納袋部材１５の袋先端部１５Ａが下側から挿通され、当該袋先端部１５Ａが、仕切板部３Ｃの板面に沿って、外縁位置にある固着部材３Ｅまで引き込まれて固着保持されている。
【００１６】
液収納袋部材１５はポリエチエンシート又はポリプロピレンシートを袋状に加工したシート素材１５Ｂによって、その上半部に第２空間１６を残すように、下半部に「２剤」（酸、酸化剤、増粘剤などが配合されている）を構成する第２溶液１７が入れられている。
【００１７】
この実施の形態の場合、シート素材１５Ｂは、第２溶液１７を撹拌棒２１と一緒に収納する下半部分の直径が大きくかつ底面ないし側面が丸味をもつような形状に選定されると共に、第２空間１６を保持する部分は円錐形状を呈するように上方に行くに従って先細形状に絞られた状態で密閉されている。
【００１８】
袋先端部１５Ａを構成するシート素材１５Ｂは１つの束に束ねられ、当該束が中栓部材３の中心透孔３Ｂを通って仕切板部３Ｃの上面に沿うように固着部材３Ｅに引き込まれ、その先端部が固着部材３Ｅに固着される。
【００１９】
この結果、液収納袋部材１５は中栓部材３の中心透孔３Ｂから混合液容器本体２の第１空間１１に吊り下げられる。
【００２０】
この実施の形態の場合、固着部材３Ｅは、図３に示すように、仕切板部３Ｃ上において、中心透孔３Ｂから外方に離れた外側位置に立設された３本の固着突子３Ｅ１を突出させた構成を有し、この３本の固着突子３Ｅ１にシート素材１５Ｂをからませることにより、液収納袋部材１５の袋先端部１５Ａを固着させる。
【００２１】
中栓部材３の仕切板部３Ｃには、中心透孔３Ｂを中心として、固着部材３Ｅとの間の位置を通るように、円環状の案内溝３Ｆが穿設され、図４に示すように、当該案内溝３Ｆによってキャップ部材４の４本の巻取突子４Ａ（９０［°］の角等間隔位置に突設されている）が案内されながら中心透孔３Ｂを中心として矢印ａの方向に回転動作したとき、図５に示すように、巻取突子４Ａが案内溝３Ｆを横切るように引き込まれている液収納袋部材１５の袋先端部１５Ａに横方向から当接することにより、シート素材１５Ｂを巻取突子４Ａの周りに巻き取ることができるようになされている。
【００２２】
かくして、中栓部材３の仕切板部３Ｃと、キャップ部材４の天板部４Ｂとの間には、液収納袋部材１５のシート素材１５Ｂを、袋先端部１５Ａを固着部材３Ｅに固着した状態で、キャップ部材４の回転に応動して、液取出口２Ａの第１空間１１から巻き取る、袋巻取部１８が形成される。
【００２３】
キャップ部材４は合成樹脂材料で成型され、図２（Ａ）に示すように、円形の天板部４Ｂの周縁部に下方に延長する円筒板部４Ｃが設けられ、当該円筒板部４Ｃの内面に形成されたねじ部４Ｄを混合液容器本体２の液取出口２Ａ（図２（Ｃ））の外周面に設けられているねじ部２Ｄに螺合しながら中心線Ｌ０を中心にして回転できるようになされている。
【００２４】
キャップ部材４の天板部４Ｂの中心線Ｌ０上の位置には、円筒板部４Ｃと対向するように下方向に延長する軸部４Ｅが突設されている（図２（Ａ））。
【００２５】
軸部４Ｅの下端には、中栓部材３の中心透孔３Ｂに相当する直径を有する中心抑え部４Ｆが設けられていると共に、この中心抑え部４Ｆの上方位置に同様に中心透孔３Ｂに相当する大きさの補助子４Ｇが設けられている。
【００２６】
かくして、混合液容器本体２の液取出口２Ａに中栓部材３及びキャップ部材４が組み立てられた状態において、キャップ部材４の中心抑え部４Ｆが中栓部材３の中心透孔３Ｂを抑えることにより、液収納袋部材１５を混合液容器本体２の第１空間１１に安定に保持し、これにより混合液容器本体２内において、第１溶液１２の上方位置に、これとは混合しない状態に、液収納袋部材１５内に第２溶液１７を保持した使用準備状態（図1の状態）を維持する。
【００２７】
キャップ部材４の、中栓部材３の支持鍔部３Ｄと対向する位置には、円環状の柔かいパッキン１９が設けられ、これによりキャップ部材４が、使用準備状態に液取出口２Ａにねじ込まれた使用準備状態から、さらに袋巻取部１８が袋先端部１５Ａを巻取る動作をした後、キャップ部材４が液取出口２Ａからねじ戻されて取りはずされるまでの操作時に、中栓部材３とキャップ部材４の天板部４Ｂとの間の液が入っていても、これをキャップ部材４内にシールするようになされている。
【００２８】
（２）液混合処理
以上の構成において、染毛操作をするユーザは、図１の使用準備状態にある混合液容器１の混合液容器本体２を手で支えながらキャップ部材４を中心線Ｌ０を中心としてねじ込み方向ａの方向に回転させる。
【００２９】
このとき、キャップ部材４はねじ部４Ｄが液取出口２Ａのねじ部２Ｄに螺合してねじ込まれて行くことにより液取出口２Ａの周囲において、下端面４Ｈが液取出口２Ａの基台部２Ｅに近づいて行くと共に、キャップ部材４の軸部４Ｅに設けられている中心抑え部４Ｆが中栓部材３の中心透孔３Ｂを通って仕切板部３Ｃの下方に突出して行く。
【００３０】
これと共に、中栓部材３とキャップ部材４の天板部４Ｂとの間に設けられた袋巻取部１８（図５）が、中栓部材３の中心透孔３Ｂを介して液収納袋部材１５のシート素材１５Ｂを引き込んで行く。
【００３１】
このとき、キャップ部材４が矢印ａの方向に回転するに従って袋巻取部１８は仕切板部３Ｃ上にあるシート素材１５Ｂを巻取突子４Ａの周囲に巻き取って行く。
【００３２】
シート素材１５Ｂの巻取りが進むと、液収納袋部材１５の第２空間１６が小さくなって行くことにより、第２溶液１７が収納されている部分が中栓部材３の中心透孔３Ｂに近づいて行き、やがて、撹拌棒２１の突起部分が液収納袋部材１５に当って孔をあけることにより、図６に示すように、底部分１５Ｃが破れて収納されていた第２溶液１７及び撹拌棒２１を、混合液容器本体２に蓄えられている第１溶液１２上に落とす。
【００３３】
この実施の形態の場合、撹拌棒２の周囲には断面が鋭角な刃状部が形成され、これによりシート素材１５Ｂが袋巻取部１８に巻き込まれて行くとき、孔をあけ易くなるようになされている。
【００３４】
混合液容器本体２の内部には、図７に示すように、液取出口２Ａにキャップ部材４が螺合した状態において、撹拌棒２１と一緒に、第１溶液１２と第２溶液１７との混合液２２が残った状態になる。
【００３５】
撹拌棒２１は、ユーザが混合液容器本体２を全体として揺動操作することにより混合液２２を構成する第１及び第２溶液１２及び１７を撹拌することにより、２液を適切な状態になるまで混合処理できる。
【００３６】
（３）キャップ部材の回転量検知・ロック動作
図４〜図７について上述した液混合処理は、混合液容器本体２の中栓部材３が設けられた液取出口２Ａのねじ部２Ｄに、キャップ部材４のねじ部４Ｄを、液取出口２Ａに対して予め設定した回転量、例えば１．５回転分だけねじ込み操作をするだけで混合動作を実現できる。
【００３７】
この実施の形態の場合、当該キャップ部材４の回転量の検知及び混合動作の終了のタイミングは、ユーザがキャップ部材４のクリック動作を手に感じることにより実現できる。
【００３８】
キャップ部材４の回転量検知動作は、図８に示すように、キャップ部材４の円筒板部４Ｃの内面における所定の角度位置に縦方向に設けられた図９に示すようなキャップ側検出隆起３０Ａと、液取出口２Ａの外表面における基準高さ位置ＬＶに設けられた液取出口側検出隆起３０Ｂとでなる回転量検出部３０により行われる。
【００３９】
キャップ側検出隆起３０Ａは、キャップ部材４のねじ部４Ｄを液取出口２Ａのねじ部２Ｄにねじ込むことにより、キャップ部材４の中心抑え部４Ｆが中栓部材３の中心透孔３Ｂを抑える状態になったとき（図１の状態になったとき）、図９（Ａ）に示すように、キャップ部材４の回転方向ｂ及び回転に伴ってキャップ部材４が混合液容器本体２の基台部２Ｅに近づいて行く締込方向ｃの方向に移動して、下端部３０Ａ１が液取出口側検出隆起３０Ｂに当接する状態になる。
【００４０】
このとき、キャップ部材４をねじ込む操作をしたいユーザは、キャップ側検出隆起３０Ａが液取出口側検出隆起３０Ｂに干渉して回転が停止した時の抵抗感によって、キャップ部材４が正規の組立状態にあることを確認できる。
【００４１】
この状態の混合液容器１から第１溶液１２及び第２溶液１７の混合液２２を液取出口２Ａから取り出そうとする場合、ユーザは、混合液容器本体２を手で支持した状態において、キャップ部材４を、キャップ部材４のキャップ側検出隆起３０Ａの下端部３０Ａ１が液取出口側検出隆起３０Ｂに当接した状態において手に受ける抵抗感に克つような強い力でキャップ部材４を回転させる。
【００４２】
このときキャップ側検出隆起３０Ａは液取出口側検出隆起３０Ｂを乗り越えて回転方向ｂの方向に回転する。
【００４３】
このようにして、キャップ側検出隆起３０Ａが基準高さ位置ＬＶにある液取出口側検出隆起３０Ｂを乗り越えて回転方向ｂの方向に移動すると、ユーザはそれまで感じていた抵抗感がなくなるので、キャップ部材４を引き続き回転させることにより、袋巻取部１８により液収納袋部材１５のシート素材１５Ｂを巻き取らせることができる。
【００４４】
この巻取操作の間においては、キャップ部材４のねじ部４Ｄが液取出口２Ａのねじ部２Ｄにねじ込まれて行くことにより、キャップ側検出隆起３０Ａが締込方向ｃの方向に下方に移動しながら回転方向ｂの方向に回転して行く。
【００４５】
やがてキャップ部材４が１回転すると、キャップ側検出隆起３０Ａは図９（Ｂ）に示すように、その上端部３０Ａ２が液取出口側検出隆起３０Ｂに当接する位置にまで回転して来る。
【００４６】
このときキャップ部材４を回転させているユーザは、キャップ側検出隆起３０Ａが液取出口側検出隆起３０Ｂに当接したことにより、回転方向ｂの方向への回転操作について手に抵抗感を感じる状態になる。
【００４７】
かくしてユーザは、当該抵抗感を手に感じたとき、キャップ部材４を１回転だけ回転させたことによってこれに対応する分量のシート素材１５Ｂを袋巻取部１８に巻き取ったことを、手の操作感の変化（すなわちクリック感）によって感じ取ることができる。
【００４８】
この実施の形態の場合、キャップ部材４を１．５回分だけ回転してこれに相当する袋先端部１５Ａを巻き取ることにより、図６について上述したように、シート素材１５Ｂの底部分１５Ｃを破ることによって当該液収納袋部材１５に収納されていた第２溶液１７及び撹拌棒２１を混合液容器本体２に収納されている第１溶液１２と混合させることができる。
【００４９】
従ってユーザは、図９（Ｂ）の状態において再度強い力でキャップ部材４を回転させることにより、キャップ側検出隆起３０Ａを液取出口側検出隆起３０Ｂを乗り越えて回転方向ｂの方向にさらに０．５回転分だけ回転させるような操作をする。
【００５０】
やがて、ユーザがキャップ部材４を１．５回転させることにより図６の状態になったとき、混合液容器１は図８のロック部３５によってキャップ部材４の回転動作をロックする。
【００５１】
ロック部３５は、キャップ部材４の下端面４Ｈに図１０（Ａ）に示すようなロック用係合溝３５Ａを穿設すると共に、当該下端面４Ｈと対向する液取出口２Ａの基台部２Ｅの上面にロック用係合突起３５Ｂを突設するように構成されている。
【００５２】
かくして、ユーザによってキャップ部材４が液取出口２Ａにねじ込まれて行くとき、１．５回転近くになると、ロック用係合溝３５Ａは、ロック用係合突起３５Ｂと対向した状態で下降方向ｅの方向に下降しながら回転方向ｄの方向に回転して行く。
【００５３】
この実施の形態の場合、ロック用係合溝３５Ａは、下降方向ｅに沿った垂直面３５Ａ１と、当該垂直面３５Ａ１の一番深い位置から下端面４Ｈにまで浅くなって行く傾斜面３５Ａ２とで構成されている。
【００５４】
かくしてロック用係合溝３５Ａがロック用係合突起３５Ｂの直近まで来ると、図１０（Ｂ）に示すように、ロック用係合溝３５Ａの傾斜面３５Ａ２の先端がロック用係合突起３５Ｂの表面に触れるような状態にまで近接した後、下降方向ｅの方向に下降しながら回転方向ｄの方向に移動することにより、図１０（Ｃ）に示すように、ロック用係合溝３５Ａがロック用係合突起３５Ｂに係合する状態になる。
【００５５】
このときロック用係合溝３５Ａの垂直面３５Ａ１がロック用係合突起３５Ｂに当接することにより、キャップ部材４の回転方向ｄへの回転が止められる。かくしてキャップ部材４を回転させていたユーザはロック用係合溝３５Ａがロック用係合突起３５Ｂに止められることにより、その抵抗感からキャップ部材４の回転量が、限界値、すなわち１．５回転になったことを感じ取ることができる。
【００５６】
このことは、混合液容器本体２内に第１溶液１２と第２溶液１７との混合操作が済んで混合液２２が得られた状態（図７）になったことを意味する。
【００５７】
（４）ロック解除による使い捨て部材の取りはずし
このようにキャップ部材４を１．５回分だけねじ込み回転方向に回転させることにより混合液容器本体２に混合液２２を得た状態になると、ユーザは、次に、キャップ部材４を液取出口２Ａから逆回転させてロック解除操作をする。
【００５８】
このときロック用係合溝３５Ａは、図１１（Ａ）に示すように、キャップ部材４が逆回転方向ｆの方向に回転すると同時に、液取出口２Ａから上昇方向ｇの方向に上昇して行く。
【００５９】
従ってロック用係合溝３５Ａは垂直面３５Ａ１がロック用係合突起３５Ｂから離れると共に、傾斜面３５Ａ２がロック用係合突起３５Ｂの表面を滑りながら移動することにより、ロック用係合溝３５Ａによるロック用係合突起３５Ｂへのロックが解除される。
【００６０】
その後引き続きユーザがキャップ部材４を逆回転方向ｆの方向に回転させれば、図１１（Ｂ）に示すように、キャップ部材４は液取出口２Ａから上方にはずされて行く。
【００６１】
このようにしてキャップ部材４が上昇方向に移動されて液取出口２Ａからはずされて行くとき、図１２に示すように、天板部４Ｂから下方に突出している中心抑え部４Ｆ及び補助子４Ｇのうち、上側にある補助子４Ｇが中栓部材３の中心透孔３Ｂの下側縁部に当接することにより、中栓部材３がキャップ部材４と一体となって液取出口２Ａの内周面２Ｂに沿って上方に引き抜かれて行く。
【００６２】
キャップ部材４が逆回転操作により、液取出口２Ａから上方に引き抜かれると、図１２に示すように、当該キャップ部材４及び中栓部材３と、その間の袋巻取部１８によって巻き取られたシート素材１５Ｂとが使い捨て部材４０として混合液容器本体２から取りはずされる。
【００６３】
この結果使い捨て部材４０が取りはずされた混合液容器本体２は、第１溶液１２及び第２溶液１７の混合液２２を内部に収納しながら液取出口２Ａの蓋が取りはずされた状態になり、これが混合液用具４１としてユーザの手元に残る。
【００６４】
この混合液用具４１の液取出口２Ａには、別途蓋としてのキャップ、又は当該蓋としてのキャップに混合液吐出ポンプを設けた混合液取出治具がねじ込まれることにより、その後混合液用具４１はユーザによって混合液２２を使用した染毛操作に用いられる。
【００６５】
（５）液混合処理の動作及び効果
以上の構成において、一般の毛染需要者であるユーザは、第１溶液１２を入れた混合液容器本体２の内部の第１空間１１に、液収納袋部材１５の袋先端部１５Ａを中栓部材３の中心透孔３Ｂを通して仕切板部３Ｃに設けられた固着部材３Ｅに固着し、これにより第２溶液１７を収納した液収納袋部材１５を吊り下げた状態の中栓部材３を、混合液容器本体２の液取出口２Ａの内周面２Ｂに挿入した状態に組み立てられた（製造者によって）図１及び図２に示すような混合液容器１を取得する。
【００６６】
この組み立て状態は、図９（Ａ）に示すように、キャップ側検出隆起３０Ａの下端部３０Ａ１が液取出口側検出隆起３０Ｂに当接した状態により生ずる抵抗感によってユーザが知ることができる。
【００６７】
当該ユーザは、混合液容器１の混合液容器本体２を手で抑えてキャップ部材４をねじ込む操作をする。
【００６８】
このときキャップ側検出隆起３０Ａ（図９）は液取出口側検出隆起３０Ｂに当接した状態にあるが、ユーザが、当該キャップ側検出隆起３０Ａが液取出口側検出隆起３０Ｂを乗り越えるような強さでねじ込み操作した後、その後通常の力でねじ込み操作することにより、キャップ部材４が液取出口２Ａにねじ込まれて行く。
【００６９】
当該ねじ込み操作をしている間に、袋巻取部１８（図５）は、中栓部材３の仕切板部３Ｃとキャップ部材４の天板部４Ｂとの間に液収納袋部材１５のシート素材１５Ｂを巻き取って行く（図３〜図５）。
【００７０】
当該シート素材１５Ｂの巻取処理が終了すると、液収納袋部材１５の底部分１５Ｃが撹拌棒２１によって破られて（図６）、液収納袋部材１５内に収納されていた第２溶液１７が混合液容器本体２内の第１溶液１２と混合した混合液２２として、撹拌棒２１と一緒に、混合液容器本体２内に残る（図６、図７）。
【００７１】
このような巻取操作の間において、ユーザは、キャップ部材４のキャップ側検出隆起３０Ａが１回転したときその上端部３０Ａ２が液取出口側検出隆起３０Ｂに当接した状態において強い力で回転させることにより、１回転したことを感知した後（図９（Ｂ））、さらに１．５回転したときキャップ部材４側に設けられているロック用係合溝３５Ａが混合液容器本体２の基台部２Ｅに設けられているロック用係合突起３５Ｂに係止されることにより、それ以上の回転操作ができない状態で、２液の混合処理動作を終了する（図１０（Ａ）〜（Ｃ））。
【００７２】
かくしてユーザは、混合液容器本体２内の混合液２２と一緒に撹拌棒２１が存在すると共に、液収納袋部材１５のうち第２溶液１７を収納していたシート素材１５Ｂだけが中栓部材３とキャップ部材４の天板部４Ｂ間に設けられた袋巻取部１８に巻き込まれた状態を得ることができることにより、撹拌棒２１を使って混合液２２を構成する第１溶液１２と第２溶液１７とを、混合液容器本体２に、キャップ部材４を被せた状態で適性に撹拌混合させることができる。
【００７３】
その後混合液２２を染毛剤として染毛処理をするとき、ユーザはキャップ部材４を逆回転させることにより液取出口２Ａからキャップ部材４を取りはずす（図１１〜図１２）。
【００７４】
このときキャップ部材４のロック用係合溝３５Ａはロック用係合突起３５Ｂとのロックを解除して（図１１（Ａ）〜（Ｂ））逆回転方向に回転しながら液取出口２Ａからはずれる（図１２）。
【００７５】
この状態のキャップ部材４はその内部に一体に中栓部材３が付着した状態で液取出口２Ａから離れるので、ユーザは、これを使い捨て部材４０として使い捨てすると共に、内部に混合液２２を保持している混合液容器本体２内を混合液用具４１として用いて染毛操作をすることができる。
【００７６】
以上の構成によれば、染毛操作をするユーザは、図１のように組立てられた混合液容器１について、混合液容器本体２を手に取ってキャップ部材４をねじ込み操作するだけで液収納袋部材１５を破って内部の第２溶液１７を第１溶液１２に混合させる。
【００７７】
その間において、第２溶液１７を放出したシート素材１５Ｂはキャップ部材４の回転に応じてキャップ部材４と中栓部材３との間に巻き取られる。
【００７８】
この状態において、キャップ部材４を液取出口２Ａから逆回転させて取りはずせば、混合液２２が入った混合液容器本体２から２液混合された染毛液を取り出して容易に染毛処理することができる。
【００７９】
かくするにつき、ユーザは１液及び２液を直接手に触れることなく、単にキャップ部材４のねじ込み、ないし、ねじはずし操作をするだけで、簡便に混合液としての染毛液を得ることができる。
【００８０】
（６）他の実施の形態
（６−１）上述の実施の形態の混合液容器1においては、キャップ部材４のねじ部４Ｄと、混合液容器本体２の液取出口２Ａのねじ部２Ｄとが螺合した状態でキャップ部材４を液取出口２Ａの上端部にねじ込んだ後、下端面４Ｈが混合液容器本体２の基台部２Ｅに当接するまでねじ込むことにより、液取出口２Ａの上端から基台部２Ｅまで全体についてねじ込み又はねじ戻し動作ができるように構成されている。
【００８１】
かかる構成に対して、この他の実施の形態においては、ねじ部４Ｄとねじ部２Ｄとの螺合範囲を、キャップ部材４の中心抑え部４Ｆが図１に示すように仕切板部３Ｃの中心透孔３Ｂを塞ぐ位置から、図６及び図７に示すように、中心抑え部４Ｆ、補助子４Ｇが仕切板部３Ｃの中心透孔３Ｂの下側に当接する位置まで、キャップ部材４がねじ込み又はねじ戻し動作できる範囲に設けられている。
【００８２】
かくしてユーザは、キャップ部材４の中心抑え部４Ｆが仕切板部３Ｃの中心透孔３Ｂを抑えた状態の混合液容器１について、キャップ部材４を回転することにより液収納袋部材１５のシート素材１５Ｂを袋巻取部１８に巻取開始させる。
【００８３】
この他の実施の形態においては、その後、キャップ部材４のねじ部４Ｄが液取出口２Ａのねじ部２Ｄを通り過ぎるまでねじ込まれると、キャップ部材４のねじ部４Ｄは、液取出口２Ａのねじ部２Ｄの下側位置において螺合をはずれた状態になる。
【００８４】
このとき、キャップ部材４の締め込み方向（混合液容器本体２の基台部２Ｅに近づく方向）への回転が空回りしてキャップ部材４は当該近づく動作をしない状態になる。
【００８５】
この空回り状態においても、キャップ部材４の袋巻取部１８による液収納袋部材１５のシート素材１５Ｂに対する巻取動作を続けることができるので、液収納袋部材１５は、図６〜図７について上述したと同様に、底部分１５Ｂを破って第２溶液１７と撹拌棒２１とを第１溶液１２中に落とすことにより、混合液２２を得る状態になし得る。
【００８６】
この実施の形態の場合、この状態からキャップ部材４を液取出口２Ａからはずす際には、ユーザが逆回転方向にキャップ部材４を回転させながらキャップ部材４の部分的なねじ部４Ｄを、液取出口２Ａの部分的なねじ部２Ｄに、下側から螺合させることにより、図１２について上述したと同様にして、使い捨て部材４０を混合液容器本体２からはずして、混合液用具４１を得る。
【００８７】
このような他の実施の形態のように構成しても、上述の場合と同様の効果を得ることができる。
【００８８】
（６−２）図１〜図１２の実施の形態においては、液収納袋部材１５の袋先端部１５Ａを固着部材３Ｅに固着させる構成として、３本の棒状の固着突子３Ｅ１を設けるようにしたが、これに代え、その他の固着手段、たとえば接着や鋲打ちなどを用いて固着突子３Ｅ１ないし他の代用部材に固着させるようにしても良い。
【００８９】
（６−３）上述の実施の形態においては、２剤染毛方式の染毛剤として混合液を得る場合に適用した場合について述べたが、用途としてはこれに限らず、２種類の液剤を混合して混合液を得る場合に広く適用することができる。
【００９０】
（６−４）上述の実施の形態においては、キャップ部材４を１．５回転させたとき、シート素材１５Ｂを破って、第１及び第２溶液１２及び１７を混合させるようにしたが、キャップ部材４の回転量はこれに限らず、例えば０．５回転、１回転、２回転など種々設定するようにしても良い。
【００９１】
（６−５）上述の実施の形態においては、シート素材１５Ｂとしてポリエチレンシート又はポリプロピレンシートを用いた場合について述べたが、その他のプラスチックフィルムを用いるようにしても良い。
【産業上の利用可能性】
【００９２】
本発明は２種類の溶液を混合して混合液を得る場合に利用できる。
【符号の説明】
【００９３】
１……混合液容器、２……混合液容器本体、２Ａ……液取出口、２Ｂ……内周面、２Ｂ１……係止突起、２Ｃ……上端面、２Ｄ……ねじ部、２Ｅ……基台部、３……中栓部材、３Ａ……円筒部、３Ａ１……割り溝、３Ｂ……中心透孔、３Ｃ……仕切板部、３Ｄ……支持鍔部、３Ｅ……固着部材、３Ｅ１……固着突子、４……キャップ部材、４Ａ……巻取突子、４Ｂ……天板部、４Ｃ……円筒板部、４Ｄ……ねじ部、４Ｅ……軸部、４Ｆ……中心抑え部、４Ｇ……補助子、４Ｈ……下端面、１１……第１空間、１２……第１溶液、１５……液収納袋部材、１５Ａ……袋先端部、１５Ｂ……シート素材、１５Ｃ……底部分、１６……第２空間、１７……第２溶液、２１……撹拌棒、２２……混合液、３０……回転量検出部、３０Ａ……キャップ側検出隆起、３０Ａ１……下端部、３０Ａ２……上端部、３０Ｂ……液取出口側検出隆起、３５……ロック部、３５Ａ……ロック用係合溝、３５Ａ１……垂直面、３５Ａ２……傾斜面、３５Ｂ……ロック用係合突起、４０……使い捨て部材、４１……混合液用具
【国際調査報告】
2013018233.tif 000015
2013018233.tif 000016